(57)【要約】  本出願は、信号伝送方法および機器を開示し、前記方法は、端末機器が、ページング関連信号と省エネ信号との間のＱＣＬ関係を決定することであって、前記ページング関連信号は、ページングメッセージをスケジューリングする物理ダウンリック制御チャネル（ＰＤＣＣＨ）および／または前記ページングメッセージを搬送する物理ダウンリンク物理共有チャネル（ＰＤＳＣＨ）を含むことと、前記端末機器が、前記ＱＣＬ関係に基づいて前記省エネ信号を受信すること、または、前記端末機器が、前記ＱＣＬ関係に基づいて前記ページング関連信号を受信することとを含む。したがって、ページング関連信号と省エネ信号との間にＱＣＬ関係を確立することにより、端末機器が、ページングメッセージの受信ビームおよび対応する空間受信パラメータを決定した後に、ページングメッセージの受信ビームおよび空間受信パラメータに基づいて、省エネ信号の受信を実行し、それにより、ネットワーク機器によって送信された全てのビーム上で省エネ信号の受信を実行することを回避し、省エネの目的を達成することができる。
2021520700.tif 000002
【特許請求の範囲】
【請求項１】
信号伝送方法であって、
端末機器が、ページング関連信号と省エネ信号との間の準共存（ＱＣＬ）関係を決定することであって、前記ページング関連信号は、ページングメッセージをスケジューリングする物理ダウンリック制御チャネル（ＰＤＣＣＨ）および／または前記ページングメッセージを搬送する物理ダウンリンク物理共有チャネル（ＰＤＳＣＨ）を含むことと、
前記端末機器が、前記ＱＣＬ関係に基づいて前記省エネ信号を受信すること、または、前記端末機器が、前記ＱＣＬ関係に基づいて前記ページング関連信号を受信することとを含むことを特徴とする、前記信号伝送方法。
【請求項２】
前記ページング関連信号と前記省エネ信号との間の前記ＱＣＬ関係は、
前記ページング関連信号を受信する復調用参照信号（ＤＭＲＳ）アンテナポートと、前記省エネ信号の受信に関連するＤＭＲＳアンテナポートとの間はＱＣＬ関係を満たすことを示すことを特徴とする、
請求項１に記載の信号伝送方法。
【請求項３】
前記ＱＣＬ関係は、
遅延拡張、ドップラー拡張、ドップラーシフト、平均遅延および空間受信パラメータのうちの少なくとも一側面における、前記ページング関連信号と前記省エネ信号のＱＣＬ関係を含むことを特徴とする、
請求項１または２に記載の信号伝送方法。
【請求項４】
前記ＱＣＬ関係は、
前記ページング関連信号と、前記ページング関連信号に関連する前記省エネ信号との間のＱＣＬ関係を含み、
前記ページング関連信号に関連する前記省エネ信号は、時間領域および／または周波数領域上で前記ページング関連信号とプリセットの関係を満たす省エネ信号を含むことを特徴とする、
請求項１ないし３のいずれか一項に記載の信号伝送方法。
【請求項５】
前記端末機器が、前記ページング関連信号と前記省エネ信号との間の前記ＱＣＬ関係を決定することは、
前記端末機器が、前記端末機器に事前に格納された前記ＱＣＬ関係を取得すること、または、
前記端末機器が、ネットワーク機器によって送信された構成情報を受信することであって、前記構成情報は前記ＱＣＬ関係を指示することを含むことを特徴とする、
請求項１ないし４のいずれか一項に記載の信号伝送方法。
【請求項６】
前記ＱＣＬ関係は、空間受信パラメータの側面のＱＣＬ関係を含み、前記端末機器が、前記ＱＣＬ関係に基づいて前記省エネ信号を受信することは、
前記端末機器が、前記ページング関連信号の最適な受信ビーム、および前記最適な受信ビームに対応する前記空間受信パラメータを使用して、前記省エネ信号を受信することを含むことを特徴とする、
請求項１ないし５のいずれか一項に記載の信号伝送方法。
【請求項７】
前記方法は、
前記端末機器が、前記省エネ信号に基づいて時間周波数同期を実行して、前記省エネ信号の時間周波数同期パラメータを取得することをさらに含み、
前記端末機器が、前記ＱＣＬ関係に基づいて前記ページング関連信号を受信することは、
前記端末機器が、前記省エネ信号の前記時間周波数同期パラメータを使用して、前記ページング関連信号を受信することを含むことを特徴とする、
請求項１ないし６のいずれか一項に記載の信号伝送方法。
【請求項８】
前記方法は、
前記端末機器が、前記ページング関連信号と前記省エネ信号との間のタイマ関係を決定することをさらに含み、
前記端末機器が、前記ＱＣＬ関係に基づいて前記省エネ信号を受信することは、前記端末機器が、前記ＱＣＬ関係および前記タイマ関係に基づいて、前記省エネ信号を受信することを含み、
前記端末機器が、前記ＱＣＬ関係に基づいて前記ページング関連信号を受信することは、前記端末機器が、前記ＱＣＬ関係および前記タイマ関係に基づいて、前記ページング関連信号を受信することを含むことを特徴とする、
請求項１ないし７のいずれか一項に記載の信号伝送方法。
【請求項９】
信号伝送方法であって、
前記ネットワーク機器が、省エネ信号およびページング関連信号を送信して、端末機器が、前記ページング関連信号と前記省エネ信号との間の準共存（ＱＣＬ）関係に基づいて、前記ページング関連信号または前記省エネ信号を受信するようにすることを含み、前記ページング関連信号は、ページングメッセージをスケジューリングする物理ダウンリック制御チャネル（ＰＤＣＣＨ）および／または前記ページングメッセージを搬送する物理ダウンリンク物理共有チャネル（ＰＤＳＣＨ）を含むことを特徴とする、前記信号伝送方法。
【請求項１０】
前記ページング関連信号と前記省エネ信号との間の前記ＱＣＬ関係は、
前記ページング関連信号を受信する復調用参照信号（ＤＭＲＳ）アンテナポートと、前記省エネ信号の受信に関連するＤＭＲＳアンテナポートとの間はＱＣＬ関係を満たすことを示すことを特徴とする、
請求項９に記載の信号伝送方法。
【請求項１１】
前記ＱＣＬ関係は、
遅延拡張、ドップラー拡張、ドップラーシフト、平均遅延および空間受信パラメータのうちの少なくとも一側面における、前記ページング関連信号と前記省エネ信号のＱＣＬ関係を含むことを特徴とする、
請求項９または１０に記載の信号伝送方法。
【請求項１２】
前記ＱＣＬ関係は、
前記ページング関連信号と、前記ページング関連信号に関連する前記省エネ信号との間のＱＣＬ関係を含み、
前記ページング関連信号に関連する前記省エネ信号は、時間領域および／または周波数領域上で前記ページング関連信号とプリセットの関係を満たす省エネ信号を含むことを特徴とする、
請求項９ないし１１のいずれか一項に記載の信号伝送方法。
【請求項１３】
前記ＱＣＬ関係は、空間受信パラメータの側面のＱＣＬ関係を含み、前記ネットワーク機器が、前記省エネ信号および前記ページング関連信号を送信することは、
前記ネットワーク機器が、前記ページング関連信号を送信し、前記ページング関連信号の送信ビームを使用して、前記ページング関連信号に関連する前記省エネ信号を送信することを含むことを特徴とする、
請求項１２に記載の信号伝送方法。
【請求項１４】
前記方法は、
前記ネットワーク機器が、前記ページング関連信号と前記省エネ信号との間のタイマ関係を決定することをさらに含み、
前記ネットワーク機器が、前記省エネ信号および前記ページング関連信号を送信することは、
前記ネットワーク機器が、前記タイマ関係に従って、前記省エネ信号および前記ページング関連信号を送信することを含むことを特徴とする、
請求項９ないし１３のいずれか一項に記載の信号伝送方法。
【請求項１５】
前記方法は、
前記ネットワーク機器が、構成情報を端末機器に送信することをさらに含み、前記構成情報は前記ＱＣＬ関係を指示することを特徴とする、
請求項９ないし１４のいずれか一項に記載の信号伝送方法。
【請求項１６】
端末機器であって、
ページング関連信号と省エネ信号との間の準共存（ＱＣＬ）関係を決定するように構成される処理ユニットであって、前記ページング関連信号は、ページングメッセージをスケジューリングする物理ダウンリック制御チャネル（ＰＤＣＣＨ）および／または前記ページングメッセージを搬送する物理ダウンリンク物理共有チャネル（ＰＤＳＣＨ）を含む処理ユニットと、
前記処理ユニットによって決定された前記ＱＣＬ関係に基づいて前記省エネ信号を受信し、または、前記ＱＣＬ関係に基づいて前記ページング関連信号を受信するように構成される送受信ユニットとを備えることを特徴とする、前記端末機器。
【請求項１７】
前記ページング関連信号と前記省エネ信号との間の前記ＱＣＬ関係は、
前記ページング関連信号を受信する復調用参照信号（ＤＭＲＳ）アンテナポートと、前記省エネ信号の受信に関連するＤＭＲＳアンテナポートとの間はＱＣＬ関係を満たすことを示すことを特徴とする、
請求項１６に記載の端末機器。
【請求項１８】
前記ＱＣＬ関係は、
遅延拡張、ドップラー拡張、ドップラーシフト、平均遅延および空間受信パラメータのうちの少なくとも一側面における、前記ページング関連信号と前記省エネ信号のＱＣＬ関係を含むことを特徴とする、
請求項１６または１７に記載の端末機器。
【請求項１９】
前記ＱＣＬ関係は、
前記ページング関連信号と、前記ページング関連信号に関連する前記省エネ信号との間のＱＣＬ関係を含み、
前記ページング関連信号に関連する前記省エネ信号は、時間領域および／または周波数領域上で前記ページング関連信号とプリセットの関係を満たす省エネ信号を含むことを特徴とする、
請求項１６ないし１８のいずれか一項に記載の端末機器。
【請求項２０】
前記処理ユニットは、具体的に、
前記端末機器に事前に格納された前記ＱＣＬ関係を取得し、または、
前記送受信ユニットを介してネットワーク機器によって送信された構成情報を受信するように構成され、前記構成情報は前記ＱＣＬ関係を指示することを特徴とする、
請求項１６ないし１９のいずれか一項に記載の端末機器。
【請求項２１】
前記ＱＣＬ関係は、空間受信パラメータの側面のＱＣＬ関係を含み、前記送受信ユニットは、具体的に、
前記ページング関連信号の最適な受信ビーム、および前記最適な受信ビームに対応する前記空間受信パラメータを使用して、前記省エネ信号を受信するように構成されることを特徴とする、
請求項１６ないし２０のいずれか一項に記載の端末機器。
【請求項２２】
前記処理ユニットは、さらに、
前記省エネ信号に基づいて時間周波数同期を実行して、前記省エネ信号の時間周波数同期パラメータを取得するように構成され、
前記送受信ユニットは、具体的に、
前記省エネ信号の前記処理ユニットによって取得された前記時間周波数同期パラメータを使用して、前記ページング関連信号を受信するように構成されることを特徴とする、
請求項１６ないし２１のいずれか一項に記載の端末機器。
【請求項２３】
前記処理ユニットは、さらに、
前記ページング関連信号と前記省エネ信号との間のタイマ関係を決定するように構成され、
前記送受信ユニットは、具体的に、前記ＱＣＬ関係および前記タイマ関係に基づいて、前記省エネ信号を受信し、または、前記ＱＣＬ関係および前記タイマ関係に基づいて、前記ページング関連信号を受信するように構成されることを特徴とする、
請求項１６ないし２２のいずれか一項に記載の端末機器。
【請求項２４】
ネットワーク機器であって、
前記省エネ信号および前記ページング関連信号を生成するように構成される処理ユニットと、
前記処理ユニットによって生成された前記省エネ信号および前記ページング関連信号を送信して、端末機器が、前記ページング関連信号と前記省エネ信号との間の準共存（ＱＣＬ）関係に基づいて、前記ページング関連信号または前記省エネ信号を受信するように構成される送受信ユニットであって、前記ページング関連信号は、ページングメッセージをスケジューリングする物理ダウンリック制御チャネル（ＰＤＣＣＨ）および／または前記ページングメッセージを搬送する物理ダウンリンク物理共有チャネル（ＰＤＳＣＨ）を含む送受信ユニットとを備えることを特徴とする、前記ネットワーク機器。
【請求項２５】
前記ページング関連信号と前記省エネ信号との間の前記ＱＣＬ関係は、
前記ページング関連信号を受信する復調用参照信号（ＤＭＲＳ）アンテナポートと、前記省エネ信号の受信に関連するＤＭＲＳアンテナポートとの間はＱＣＬ関係を満たすことを示すことを特徴とする、
請求項２４に記載のネットワーク機器。
【請求項２６】
前記ＱＣＬ関係は、
遅延拡張、ドップラー拡張、ドップラーシフト、平均遅延および空間受信パラメータのうちの少なくとも一側面における、前記ページング関連信号と前記省エネ信号のＱＣＬ関係を含むことを特徴とする、
請求項２４または２５に記載のネットワーク機器。
【請求項２７】
前記ＱＣＬ関係は、
前記ページング関連信号と、前記ページング関連信号に関連する前記省エネ信号との間のＱＣＬ関係を含み、
前記ページング関連信号に関連する前記省エネ信号は、時間領域および／または周波数領域上で前記ページング関連信号とプリセットの関係を満たす省エネ信号を含むことを特徴とする、
請求項２４ないし２６のいずれか一項に記載のネットワーク機器。
【請求項２８】
前記ＱＣＬ関係は、空間受信パラメータの側面のＱＣＬ関係を含み、前記送受信ユニットは、具体的に、
前記ページング関連信号を送信し、前記ページング関連信号の送信ビームを使用して、前記ページング関連信号に関連する前記省エネ信号を送信するように構成されることを特徴とする、
請求項２７に記載のネットワーク機器。
【請求項２９】
前記処理ユニットは、さらに、
前記ページング関連信号と前記省エネ信号との間のタイマ関係を決定するように構成され、
前記送受信ユニットは、具体的に、前記タイマ関係に従って、前記省エネ信号および前記ページング関連信号を送信するように構成されることを特徴とする、
請求項２４ないし２８のいずれか一項に記載のネットワーク機器。
【請求項３０】
前記送受信ユニットは、さらに、
構成情報を端末機器に送信するように構成され、前記構成情報は前記ＱＣＬ関係を指示することを特徴とする、
請求項２４ないし２９のいずれか一項に記載のネットワーク機器。
【発明の詳細な説明】
【技術分野】
【０００１】
本出願の実施例は、通信分野に関し、より具体的に、信号伝送方法および機器に関する。
【背景技術】
【０００２】
端末機器の省電力化を考慮して、間欠受信（ＤＲＸ：Ｄｉｓｃｏｎｔｉｎｕｏｕｓ  Ｒｅｃｅｐｔｉｏｎ）メカニズムが導入されている。各ＤＲＸ周期（ＤＲＸ  Ｃｙｃｌｅ）は、活性化期間（ｏｎ  ｄｕｒａｔｉｏｎ）および休止期間（Ｏｐｐｏｒｔｕｎｉｔｙ  ｆｏｒ  ＤＲＸ）を含み、活性化期間である場合、端末機器は制御チャネルを検出し、休止（スリープとも呼ばれる）期間である場合、端末機器は、制御チャネルの受信を停止することにより（この場合、端末機器は、制御チャネルのブラインド検出を停止する）、電力消費を低下させ、それにより、バッテリの使用寿命を改善することができる。
【０００３】
５Ｇシステムにおいて、端末機器の状態を制御して省エネの目的を達成するために使用される省エネ信号が導入されている。例えば、当該省エネ信号は、１つのウェイクアップ信号であってもよく、当該ウェイクアップ信号は、端末機器がＤＲＸ周期内の「活性化期間」でウェイクアップするように指示し、端末機器が当該ウェイクアップ信号を検出した場合のみ、「活性化期間」にウェイクアップしてＰＤＣＣＨを検出し、当該端末機器が当該ウェイクアップ信号を検出しなかった場合、ＰＤＣＣＨ検出を実行しない。
【０００４】
したがって、このような省エネ信号の伝送機能を保証して端末機器の更なる省エネを実現することは、解決すべき緊急の問題である。
【発明の概要】
【発明が解決しようとする課題】
【０００５】
本出願の実施例は、省エネ信号および省エネ信号に関連する他の信号の伝送性能を向上させ、端末機器の電力消費がさらに低下することができる、信号伝送方法および機器を提供する。
【課題を解決するための手段】
【０００６】
第１態様によれば、信号伝送方法を開示し、前記方法は、端末機器が、ページング関連信号と省エネ信号との間の準共存（ＱＣＬ）関係を決定することであって、前記ページング関連信号は、ページングメッセージをスケジューリングする物理ダウンリック制御チャネル（ＰＤＣＣＨ）および／または前記ページングメッセージを搬送する物理ダウンリンク物理共有チャネル（ＰＤＳＣＨ）を含むことと、前記端末機器が、前記ＱＣＬ関係に基づいて前記省エネ信号を受信すること、または、前記端末機器が、前記ＱＣＬ関係に基づいて前記ページング関連信号を受信することとを含む。
【０００７】
したがって、ページング関連信号と省エネ信号との間にＱＣＬ関係を確立することにより、端末機器が、ページングメッセージの受信ビームおよび対応する空間受信パラメータを決定した後に、ページングメッセージの受信ビームおよび空間受信パラメータに基づいて、省エネ信号の受信を実行し、それにより、ネットワーク機器によって送信された全てのビーム上で省エネ信号の受信を実行することを回避し、省エネの目的を達成することができる。
【０００８】
第１態様を参照すると、第１態様の一可能な実施形態において、前記ページング関連信号と前記省エネ信号との間の前記ＱＣＬ関係は、前記ページング関連信号を受信する復調用参照信号（ＤＭＲＳ）アンテナポートと、前記省エネ信号の受信に関連するＤＭＲＳアンテナポートとの間はＱＣＬ関係を満たすことを示す。
【０００９】
第１態様または上記の任意の可能な実施形態を参照すると、第１態様の別の可能な実施形態において、前記ＱＣＬ関係は、遅延拡張、ドップラー拡張、ドップラーシフト、平均遅延および空間受信パラメータのうちの少なくとも一側面における、前記ページング関連信号と前記省エネ信号のＱＣＬ関係を含む。
【００１０】
第１態様または上記の任意の可能な実施形態を参照すると、第１態様の別の可能な実施形態において、前記ＱＣＬ関係は、前記ページング関連信号と、前記ページング関連信号に関連する前記省エネ信号との間のＱＣＬ関係を含む。
【００１１】
ここで、前記ページング関連信号に関連する前記省エネ信号は、時間領域および／または周波数領域上で前記ページング関連信号とプリセットの関係を満たす省エネ信号を含む。
【００１２】
第１態様または上記の任意の可能な実施形態を参照すると、第１態様の別の可能な実施形態において、前記端末機器が、前記ページング関連信号と前記省エネ信号との間の前記ＱＣＬ関係を決定することは、前記端末機器が、前記端末機器に事前に格納された前記ＱＣＬ関係を取得すること、または、前記端末機器が、ネットワーク機器によって送信された構成情報を受信ことであって、前記構成情報は前記ＱＣＬ関係を指示することを含む。
【００１３】
第１態様または上記の任意の可能な実施形態を参照すると、第１態様の別の可能な実施形態において、前記ＱＣＬ関係は、空間受信パラメータの側面のＱＣＬ関係を含み、ここで、前記端末機器が、前記ＱＣＬ関係に基づいて前記省エネ信号を受信することは、前記端末機器が、前記ページング関連信号の最適な受信ビーム、および前記最適な受信ビームに対応する前記空間受信パラメータを使用して、前記省エネ信号を受信することを含む。
【００１４】
したがって、本出願の実施例では、ページング関連信号と省エネ信号との間にＱＣＬ関係を確立することにより、端末機器が、ページングメッセージの受信ビームおよび対応する空間受信パラメータを決定した後に、ページングメッセージの受信ビームおよび空間受信パラメータに基づいて、省エネ信号の受信を実行し、それにより、ネットワーク機器によって送信された全てのビーム上で省エネ信号の受信を実行することを回避し、省エネの目的を達成することができる。
【００１５】
第１態様または上記の任意の可能な実施形態を参照すると、第１態様の別の可能な実施形態において、前記方法は、前記端末機器が、前記省エネ信号に基づいて時間周波数同期を実行して、前記省エネ信号の時間周波数同期パラメータを取得することをさらに含み、ここで、前記端末機器が、前記ＱＣＬ関係に基づいて前記ページング関連信号を受信することは、前記端末機器が、前記省エネ信号の前記時間周波数同期パラメータを使用して、前記ページング関連信号を受信することを含む。
【００１６】
したがって、当該実施例では、端末機器は、省エネ信号の指示に基づいて、特定のページング周期にページングメッセージの伝送が存在する場合、端末機器が当該ページング周期に当該ページングメッセージを受信する必要があることを知る。省エネ信号がシーケンスであり、且つ当該シーケンスが時間周波数同期の機能を備えている場合、当該端末機器は、当該省エネ信号に基づいて時間周波数同期を実行し、時間オフセットおよび周波数オフセットなどの情報などの当該省エネ信号の時間周波数同期パラメータを取得し、これらの時間周波数同期パラメータに基づいて、当該省エネ信号とＱＣＬ関係を満たす当該ページング関連信号を受信することができ、それにより、ページング関連信号の受信性能を改善することができる。
【００１７】
第１態様または上記の任意の可能な実施形態を参照すると、第１態様の別の可能な実施形態において、前記方法は、前記端末機器が、前記ページング関連信号と前記省エネ信号との間のタイマ関係を決定することをさらに含み、ここで、前記端末機器が、前記ＱＣＬ関係に基づいて前記省エネ信号を受信することは、前記端末機器が、前記ＱＣＬ関係および前記タイマ関係に基づいて、前記省エネ信号を受信することを含み、前記端末機器が、前記ＱＣＬ関係に基づいて前記ページング関連信号を受信することは、前記端末機器が、前記ＱＣＬ関係および前記タイマ関係に基づいて、前記ページング関連信号を受信することを含む。
【００１８】
第２態様によれば、信号伝送方法を提供し、前記方法は、前記ネットワーク機器が、省エネ信号およびページング関連信号を送信して、端末機器が、前記ページング関連信号と前記省エネ信号との間の準共存（ＱＣＬ）関係に基づいて、前記ページング関連信号または前記省エネ信号を受信するようにすることを含み、ここで、前記ページング関連信号は、ページングメッセージをスケジューリングする物理ダウンリック制御チャネル（ＰＤＣＣＨ）および／または前記ページングメッセージを搬送する物理ダウンリンク物理共有チャネル（ＰＤＳＣＨ）を含む。
【００１９】
したがって、ページング関連信号と省エネ信号との間にＱＣＬ関係を確立することにより、端末機器が、ページングメッセージの受信ビームおよび対応する空間受信パラメータを決定した後に、ページングメッセージの受信ビームおよび空間受信パラメータに基づいて、省エネ信号の受信を実行し、それにより、ネットワーク機器によって送信された全てのビーム上で省エネ信号の受信を実行することを回避し、省エネの目的を達成することができる。
【００２０】
第２態様を参照すると、第２態様の一可能な実施形態において、前記ページング関連信号と前記省エネ信号との間の前記ＱＣＬ関係は、前記ページング関連信号を受信する復調用参照信号（ＤＭＲＳ）アンテナポートと、前記省エネ信号の受信に関連するＤＭＲＳアンテナポートとの間はＱＣＬ関係を満たすことを示す。
【００２１】
第２態様または上記の任意の可能な実施形態を参照すると、第２態様の別の可能な実施形態において、前記ＱＣＬ関係は、遅延拡張、ドップラー拡張、ドップラーシフト、平均遅延および空間受信パラメータのうちの少なくとも一側面における、前記ページング関連信号と前記省エネ信号のＱＣＬ関係を含む。
【００２２】
第２態様または上記の任意の可能な実施形態を参照すると、第２態様の別の可能な実施形態において、前記ＱＣＬ関係は、前記ページング関連信号と、前記ページング関連信号に関連する前記省エネ信号との間のＱＣＬ関係を含む。
【００２３】
ここで、前記ページング関連信号に関連する前記省エネ信号は、時間領域および／または周波数領域上で前記ページング関連信号とプリセットの関係を満たす省エネ信号を含む。
【００２４】
第２態様または上記の任意の可能な実施形態を参照すると、第２態様の別の可能な実施形態において、前記ＱＣＬ関係は、空間受信パラメータの側面のＱＣＬ関係を含み、ここで、前記ネットワーク機器が、前記省エネ信号および前記ページング関連信号を送信することは、前記ネットワーク機器が、前記ページング関連信号を送信し、前記ページング関連信号の送信ビームを使用して、前記ページング関連信号に関連する前記省エネ信号を送信することを含む。
【００２５】
第２態様または上記の任意の可能な実施形態を参照すると、第２態様の別の可能な実施形態において、前記方法は、前記ネットワーク機器が、前記ページング関連信号と前記省エネ信号との間のタイマ関係を決定することをさらに含む。
【００２６】
ここで、前記ネットワーク機器が、前記省エネ信号および前記ページング関連信号を送信することは、前記ネットワーク機器が、前記タイマ関係に従って、前記省エネ信号および前記ページング関連信号を送信することを含む。
【００２７】
第２態様または上記の任意の可能な実施形態を参照すると、第２態様の別の可能な実施形態において、前記方法は、前記ネットワーク機器が、構成情報を端末機器に送信することをさらに含み、前記構成情報は前記ＱＣＬ関係を指示する。
【００２８】
第３態様によれば、端末機器を提供し、当該端末機器は、上記の第１態様または第１態様の任意の例示的な実施形態における端末機器の操作を実行することができる。具体的に、当該端末機器は、上記の第１態様または第１態様の任意の可能な実施形態を実行するように構成される端末機器を含み得る。
【００２９】
第４態様によれば、ネットワーク機器を提供し、当該ネットワーク機器は、上記の第２態様または第２態様の任意の例示的な実施形態におけるネットワーク機器の操作を実行することができる。具体的に、当該ネットワーク機器は、上記の第２態様または第２態様の任意の可能な実施形態を実行するように構成されるネットワーク機器を含み得る。
【００３０】
第５態様によれば、端末機器を提供し、当該端末機器は、プロセッサ、トランシーバおよびメモリを備える。ここで、当該プロセッサ、当該トランシーバおよび当該メモリの間は、内部接続パスを介してお互いに通信する。当該メモリは、命令を記憶するように構成され、当該プロセッサは、当該メモリに記憶された命令を実行するように構成される。当該プロセッサが当該メモリによって記憶された命令を実行する場合、当該実行により、当該端末機器が、第１態様または第１態様の任意の可能な実施形態における方法を実行し、または当該実行により、当該端末機器が第３態様で提供された端末機器を実現する。
【００３１】
第６態様によれば、ネットワーク機器を提供し、当該ネットワーク機器は、プロセッサ、トランシーバおよびメモリを含む。ここで、当該プロセッサ、当該トランシーバおよび当該メモリの間は、内部接続パスを介してお互いに通信する。当該メモリは、命令を記憶するように構成され、当該プロセッサは、当該メモリに記憶された命令を実行するように構成される。当該プロセッサが当該メモリによって記憶された命令を実行する場合、当該実行により、当該ネットワーク機器が、第２態様または第２態様の任意の可能な実施形態における方法を実行し、または当該実行により、当該ネットワーク機器が第４態様で提供されたネットワーク機器を実現する。
【００３２】
第７態様によれば、システムチップを提供し、当該システムチップは、入力インターフェース、出力インターフェース、プロセッサおよびメモリを含み、当該プロセッサは、当該メモリによって記憶された命令を実行するように構成され、当該命令が実行されるとき、当該プロセッサは、前述の第１態様または第１態様の任意の可能な実施形態における方法を実現することができる。
【００３３】
第８態様によれば、システムチップを提供し、当該システムチップは、入力インターフェース、出力インターフェース、プロセッサおよびメモリを含み、当該プロセッサは、当該メモリによって記憶された命令を実行するように構成され、当該命令が実行されるとき、当該プロセッサは、前述の第２態様または第２態様の任意の可能な実施形態における方法を実現することができる。
【００３４】
第９態様によれば、命令を含むコンピュータプログラム製品を提供し、前記コンピュータプログラム製品がコンピュータで実行される場合、当該コンピュータが上記の第１態様または第１態様の任意の可能な実施形態における方法を実行するようにする。
【００３５】
第１０態様によれば、命令を含むコンピュータプログラム製品を提供し、前記コンピュータプログラム製品がコンピュータで実行される場合、当該コンピュータが上記の第２態様または第２態様の任意の可能な実施形態における方法を実行するようにする。
【図面の簡単な説明】
【００３６】
【図１】本出願の実施例に適用される一可能な無線通信システムの概略図である。
【図２】ＤＲＸ周期の概略図である。
【図３】ページングメッセージのビームスキャンの概略図である。
【図４】本出願の実施例の信号伝送方法のフローチャートである。
【図５】本出願の実施例の省エネ信号および当該省エネ信号に関連するページング関連信号の概略図である。
【図６】本出願の実施例の端末機器の例示的なブロック図である。
【図７】本出願の実施例のネットワーク機器の例示的なブロック図である。
【図８】本出願の実施例の通信機器の例示的な構造図である。
【図９】本出願の実施例のシステムチップの例示的な構造図である。
【発明を実施するための形態】
【００３７】
本出願の実施例における技術的解決策は、例えば、グローバル移動通信システム（ＧＳＭ：Ｇｌｏｂａｌ  Ｓｙｓｔｅｍ  ｏｆ  Ｍｏｂｉｌｅ  ｃｏｍｍｕｎｉｃａｔｉｏｎ）、シンボル分割多元接続（ＣＤＭＡ：Ｃｏｄｅ  Ｄｉｖｉｓｉｏｎ  Ｍｕｌｔｉｐｌｅ  Ａｃｃｅｓｓ）システム、広帯域コード分割多重接続（ＷＣＤＭＡ：Ｗｉｄｅｂａｎｄ  Ｃｏｄｅ  Ｄｉｖｉｓｉｏｎ  Ｍｕｌｔｉｐｌｅ  Ａｃｃｅｓｓ）システム、汎用パケット無線サービス（ＧＰＲＳ：Ｇｅｎｅｒａｌ  Ｐａｃｋｅｔ  Ｒａｄｉｏ  Ｓｅｒｖｉｃｅ）、ロングタームエボリューション（ＬＴＥ：Ｌｏｎｇ  Ｔｅｒｍ  Ｅｖｏｌｕｔｉｏｎ）システム、ＬＴＥ周波数分割複信（ＦＤＤ：Ｆｒｅｑｕｅｎｃｙ  Ｄｉｖｉｓｉｏｎ  Ｄｕｐｌｅｘ）システム、ＬＴＥ時分割複信（ＴＤＤ：Ｔｉｍｅ  Ｄｉｖｉｓｉｏｎ  Ｄｕｐｌｅｘ）、ユニバーサル移動通信システム（ＵＴＭＳ：Ｕｎｉｖｅｒｓａｌ  Ｍｏｂｉｌｅ  Ｔｅｌｅｃｏｍｍｕｎｉｃａｔｉｏｎ  Ｓｙｓｔｅｍ）、ワイマックス（ＷｉＭＡＸ：Ｗｏｒｌｄｗｉｄｅ  Ｉｎｔｅｒｏｐｅｒａｂｉｌｉｔｙ  ｆｏｒ  Ｍｉｃｒｏｗａｖｅ  Ａｃｃｅｓｓ）通信システムまたは将来の５Ｇシステムなど、様々な通信システムに適用することができる。
【００３８】
図１は、本出願の実施例に適用される無線通信システム１００を示す。当該無線通信システム１００は、ネットワーク機器１１０を備えることができる。ネットワーク機器１００は、端末機器と通信する機器であってもよい。ネットワーク機器１００は、特定の地理的エリアに通信カバレッジを提供することができ、さらに、当該カバレッジエリア内に位置する端末機器（例えば、ＵＥなど）と通信することができる。例示的に、当該ネットワーク機器１００は、ＧＳＭシステムまたはＣＤＭＡシステムの基地局（ＢＴＳ：Ｂａｓｅ  Ｔｒａｎｓｃｅｉｖｅｒ  Ｓｔａｔｉｏｎ）であってもよく、ＷＣＤＭＡシステムの基地局（ＮＢ：ＮｏｄｅＢ）であってもよく、さらに、ＬＴＥシステムの進化型基地局（ｅＮＢまたはｅＮｏｄｅＢ：Ｅｖｏｌｕｔｉｏｎａｌ  Ｎｏｄｅ  Ｂ）、またはクラウド無線アクセスネットワーク（ＣＲＡＮ：Ｃｌｏｕｄ  Ｒａｄｉｏ  Ａｃｃｅｓｓ  Ｎｅｔｗｏｒｋ）無線コントローラであり得、または、前記ネットワーク機器は、リレーステーション、アクセスポイント、車載機器、ウェアラブル機器、未来の５Ｇネットワークのネットワーク側の機器、または未来進化の公衆陸上移動通信網（ＰＬＭＮ：Ｐｕｂｌｉｃ  Ｌａｎｄ  Ｍｏｂｉｌｅ  Ｎｅｔｗｏｒｋ）のネットワーク機器などであってもよい。
【００３９】
当該無線通信システム１００は、ネットワーク機器１１０のカバレッジエリア内に位置する少なくとも１つの端末機器１２０をさらに備える。端末機器１２０は、モバイルまたは固定であってもよい。例示的に、端末機器１２０は、アクセス端末、ユーザ機器（ＵＥ：Ｕｓｅｒ  Ｅｑｕｉｐｍｅｎｔ）、ユーザユニット、ユーザステーション、モバイルステーション、移動台、リモートステーション、リモート端末、モバイルデバイス、ユーザ端末、端末、無線通信デバイス、ユーザエージェント、またはユーザデバイスを指し得る。接入端末は、携帯電話、コードレス電話、セッション開始プロトコル（ＳＩＰ：Ｓｅｓｓｉｏｎ  Ｉｎｉｔｉａｔｉｏｎ  Ｐｒｏｔｏｃｏｌ）電話、ワイヤレスローカルループ（ＷＬＬ：Ｗｉｒｅｌｅｓｓ  Ｌｏｃａｌ  Ｌｏｏｐ）ステーション、携帯情報端末（ＰＤＡ：Ｐｅｒｓｏｎａｌ  Ｄｉｇｉｔａｌ  Ａｓｓｉｓｔａｎｔ）、無線通信機能を備えたハンドヘルドデバイス、コンピューティングデバイスまたは無線モデムに接続されたその他の処理デバイス、車載デバイス、ウェアラブルデバイスおよび未来の５Ｇネットワークの端末機器または未来進化のＰＬＭＮの端末機器などであり得る。ここで、例示的に、端末機器１２０間では、装置対装置（Ｄ２Ｄ：Ｄｅｖｉｃｅ  ｔｏ  Ｄｅｖｉｃｅ）通信を実行してもよい。
【００４０】
図１は、１つのネットワーク機器および２つの端末機器を例示的に示し、例示的に、当該無線通信システム１００は、複数のネットワーク機器を備えることができ、さらに、各ネットワーク機器のカバレッジエリアには他の数の端末機器が含まれることができ、本出願の実施例はこれらに対して限定しない。
【００４１】
例示的に、当該無線通信システム１００は、ネットワークコントローラ、モバイル管理エンティティなどの他のネットワークエンティティをさらに備えることができ、本出願の実施例は、これらに対して限定しない。
【００４２】
端末機器のＤＲＸ周期（ＤＲＸ  Ｃｙｃｌｅ）は、活性化期間（ｏｎ  ｄｕｒａｔｉｏｎ）および休止期間（Ｏｐｐｏｒｔｕｎｉｔｙ  ｆｏｒ  ＤＲＸ）を含み、例えば、図２に示されたように、端末機器は、活性化期間、即ちｏｎ  ｄｕｒａｔｉｏｎ期間で物理ダウンリック制御チャネル（ＰＤＣＣＨ：Ｐｈｙｓｉｃａｌ  Ｄｏｗｎｌｉｎｋ  Ｃｏｎｔｒｏｌ  Ｃｈａｎｎｅｌ）を検出することができ、端末機器は、休止期間、即ちＯｐｐｏｒｔｕｎｉｔｙ  ｆｏｒ  ＤＲＸ期間でＰＤＣＣＨの受信を停止することにより（この場合、端末機器は、ＰＤＣＣＨまたはページングメッセージのブラインド検出を停止する）電力消費を低下させ、それにより、バッテリの使用寿命を改善することができる。即ち、ウェイクアップ期間に、端末機器はウェイクアップ状態であり、それにより、ＰＤＣＣＨを検出し、休止期間間に、端末機器は休止状態となり、それにより、チャネルまたは信号の検出を実行しない。
【００４３】
ネットワークは、ＤＲＸ周期を端末機器に構成して、端末機器が、活性化期間にＰＤＣＣＨを周期的に検出するようにするが、端末機器は、活性化期間内に日和見的にのみスケジューリングされ、端末機器は、サービス負荷が非常に低い場合でも、少数のＤＲＸ周期にスケジューリングされる。ＤＲＸメカニズムを採用したページングメッセージにおいて、端末機器がページングメッセージを受信するタイミングがより少ない。したがって、端末機器は、ＤＲＸメカニズムを構成した後に、ほとんどのＤＲＸ周期の活性化期間に制御チャネルを検出できない場合があるが、これらのＤＲＸの活性化期間に端末機器は依然としてウェイクアップされ、それでは、端末機器の不要な電力消費が増加する。
【００４４】
したがって、５Ｇシステムでは、端末機器の状態を制御して省エネの目的を達成するために使用される、省エネ信号（ｐｏｗｅｒ  ｓａｖｉｎｇ  ｓｉｇｎａｌ）が導入される。当該省エネ信号は、端末機器のウェイクアップおよび休止状態を制御して、端末機器の電力消費が低下することができるようにするために使用される。例えば、当該省エネ信号は、１つのウェイクアップ信号であってもよく、当該ウェイクアップ信号は、端末機器がＤＲＸ周期内の「活性化期間」でウェイクアップするように指示し、端末機器が当該ウェイクアップ信号を検出した場合、ＰＤＣＣＨを検出するためにその後の１つまたは複数の「活性化期間」にウェイクアップすることができ、当該端末機器が当該ウェイクアップ信号を検出しなかった場合、その後の１つまたは複数の活性化期間に、依然としてスリープ状態を維持してＰＤＣＣＨ検出を実行しないことができ、または、当該ウェイクアップ信号は、端末機器がＤＲＸ周期内の「活性化期間」に休止するように指示し、端末機器が当該ウェイクアップ信号を検出しなかった場合、その後の１つまたは複数の「活性化期間」に正常にウェイクアップしてＰＤＣＣＨを検出することができ、当該端末機器が当該ウェイクアップ信号を検出した場合、その後の１つまたは複数の活性化期間に、依然として、スリープ状態を維持してＰＤＣＣＨ検出を実行しないことができる。このような指示情報は端末機器の省エネに役立つため、省エネ信号（Ｐｏｗｅｒ  Ｓａｖｉｎｇ  Ｓｉｇｎａｌ）と呼ばれる。
【００４５】
省エネ信号の伝送性能が改善することは、端末機器の更なる省エネに役立つことができる。したがって、本出願の実施例は、省エネ信号およびページング関連信号の受信性能を改善するために、省エネ信号の受信とページング（ｐａｇｉｎｇ）メッセージの受信との間の準共存（ＱＣＬ：Ｑｕａｓｉ−Ｃｏ−Ｌｏｃａｔｅｄ）関係の確立を提案する。
【００４６】
端末機器は、ページングメッセージを受信し、そのページング周期内の特定の特定フレーム（ページング無線フレームまたはページングフレーム（ＰＦ：Ｐａｇｉｎｇ  Ｆｒａｍｅ）と称する）のうちの１つの特定サブフレーム（ページング時刻（ＰＯ：Ｐａｇｉｎｇ  Ｏｃｃａｓｉｏｎ）と称する）で実行する。端末機器は、当該ＰＯで、自身のページングメッセージがあるかどうかを検出する。ＰＯはサブフレームであり、当該サブフレーム上に、ページング−無線ネットワーク一時識別子（Ｐ−ＲＮＴＩ：Ｐａｇｉｎｇ  Ｒａｄｉｏ  Ｎｅｔｗｏｒｋ  Ｔｅｍｐｏｒａｒｙ  Ｉｄｅｎｔｉｔｙ）を使用してページングメッセージをスクランブルして指示するＰＤＣＣＨが存在する可能性がある。採用されたＤＲＸメカニズムによれば、端末機器は、各ＤＲＸ周期において１つのみのＰＯを検出する必要があり、即ち、各端末機器に対応し、各ページング周期において１つのみのサブフレームがページングメッセージを伝送するために使用される。理解され得るように、ページングメッセージの伝送もＤＲＸメカニズムであり、ページング周期の長さは、ＤＲＸ周期の長さと等しい。
【００４７】
５Ｇシステムにおいて、ページングメッセージの送信はビームスキャンをサポートする必要があり、即ち、各ＰＯにおいて、ネットワーク機器は、セル全体におけるページングメッセージの完全なカバレッジを保証するために、ページングメッセージをビームスキャンの方式で、各スペースビームを使用して送信する必要がある。例えば、図３に示されたように、各ＰＯにおいて、ネットワーク機器の全ては、ビーム１ないしビームＮを使用して当該ページングメッセージを送信して、セルの各位置の端末機器の全てが当該ページングメッセージを検出することができるようにする。
【００４８】
図４は、本出願の実施例の信号伝送方法４００のフローチャートである。図４に示された端末機器は、図１に示された端末機器１２０などであってもよい。図４に示されたネットワーク機器は、図１に示されたネットワーク機器１１０などであってもよい。図４に示されたように、当該信号伝送方法４００は、次のステップを含む。
【００４９】
ステップ４１０において、ネットワーク機器が、省エネ信号およびページング関連信号を送信する。
【００５０】
ここで、理解され得るように、ネットワーク機器は、当該ページング関連信号と当該省エネ信号との間のＱＣＬ関係に基づいて、当該省エネ信号および当該ページング関連信号を端末機器に送信することができ、それにより、端末機器が、省エネ信号またはページング関連信号を受信した場合、前記ページング関連信号と前記省エネ信号との間の当該ＱＣＬ関係に基づいて、前記ページング関連信号または前記省エネ信号を受信することができるようにする。
【００５１】
ここで、例示的に、前記ページング関連信号は、ページングメッセージをスケジューリングするＰＤＣＣＨ、および／または前記ページングメッセージを搬送する物理ダウンリンク物理共有チャネル（ＰＤＳＣＨ：Ｐｈｙｓｉｃａｌ  Ｄｏｗｎｌｉｎｋ  Ｓｈａｒｅｄ  Ｃｈａｎｎｅｌ）を含む。
【００５２】
または、当該ページング関連信号は、ページングメッセージであってもよく、または当該ページングメッセージをスケジューリングするＰＤＣＣＨであってもよい。
【００５３】
例示的に、当該方法は、当該ネットワーク機器が、構成情報を端末機器に送信することをさらに含み、当該構成情報は、前記ＱＣＬ関係を指示する。
【００５４】
ステップ４２０において、当該端末機器が、当該ページング関連信号と当該省エネ信号との間の当該ＱＣＬ関係を決定する。
【００５５】
例示的に、当該ページング関連信号と当該省エネ信号との間の当該ＱＣＬ関係は、当該ページング関連信号を受信する復調用参照信号（ＤＭＲＳ：Ｄｅ  Ｍｏｄｕｌａｔｉｏｎ  Ｒｅｆｅｒｅｎｃｅ  Ｓｉｇｎａｌ）アンテナポートと、当該省エネ信号的受信に関連するＤＭＲＳアンテナポートとの間がＱＣＬ関係を満たすことを示す。
【００５６】
例示的に、当該ＱＣＬ関係は、遅延拡張（ｄｅｌａｙ  ｓｐｒｅａｄ）、ドップラー拡張（Ｄｏｐｐｌｅｒ  ｓｐｒｅａｄ）、ドップラーシフト（Ｄｏｐｐｌｅｒ  ｓｈｉｆｔ）、平均遅延（ａｖｅｒａｇｅ  ｄｅｌａｙ）および空間受信パラメータのうちの少なくとも一側面における当該ページング関連信号と当該省エネ信号のＱＣＬ関係を含む。
【００５７】
即ち、当該ページング関連信号を受信するＤＭＲＳアンテナポートと、当該省エネ信号の受信に関連するＤＭＲＳアンテナポートとの間は、遅延拡張、ドップラー拡張、ドップラーシフト、平均遅延および空間受信パラメータにおける１つまたはいくつかの側面はＱＣＬである。
【００５８】
例を挙げると、省エネ信号とページング関連信号、この２つの信号間が平均遅延、遅延拡張の側面でＱＣＬ関係を満たす場合、当該端末機器は、省エネ信号の時間同期オフセットの推定に基づいて、当該ページング関連信号の時間同期オフセットを取得することができる。
【００５９】
さらに例えば、２つの信号間がドップラー拡張、ドップラーシフトの側面でＱＣＬ関係を満たす場合、端末機器は、省エネ信号の周波数オフセットの推定に基づいて、当該ページング関連信号の周波数同期オフセットを取得することができる。さらに、端末機器は、ページング関連信号の受信性能を改善するために、取得された当該ページング関連信号の時間同期オフセットおよび当該ページング関連信号の周波数同期オフセットに基づいて、ページング関連信号に対して時間周波数オフセットの補償を実行することができる。
【００６０】
さらに例えば、省エネ信号およびページング関連信号、この２つの信号間が空間受信パラメータの側面でＱＣＬ関係を満たす場合、２つの信号は、ネットワーク機器が同じ送信ビームを使用することにより送信される。ビームスキャンのシナリオにおいて、ページング関連信号および省エネ関連信号は、両方とも、ビームスキャンの方式で送信される。端末機器が、ビームｉなどの特定のビーム上で検出したページング関連信号の品質が最も高い場合、当該端末機器は、空間受信パラメータの側面の当該ＱＣＬ関係に基づいて、当該ビームｉを使用することにより送信された省エネ信号の受信品質も最も高いと判断することができる。対応的に、当該端末機器は、当該ビームｉおよび対応する受信機パラメータに基づいて、当該省エネ信号を検出することができる。その逆も同様である。
【００６１】
本出願の実施例では、信号を受信するために使用されるビームは、信号を受信するために使用される空間ドメイン受信フィルタ（Ｓｐａｔｉａｌ  ｄｏｍａｉｎ  ｒｅｃｅｐｔｉｏｎ  ｆｉｌｔｅｒ）として理解されることができ、信号を送信するために使用されるビームは、信号を送信するために使用される空間ドメイン伝送フィルタ（Ｓｐａｔｉａｌ  ｄｏｍａｉｎ  ｔｒａｎｓｍｉｓｓｉｏｎ  ｆｉｌｔｅｒ）として理解されることができることを理解されたい。同じ空間ドメイン受信フィルタを使用して送信された２つの信号において、前記２つの信号が空間受信パラメータに対して準共存（ＱＣＬ：Ｑｕａｓｉ−Ｃｏ−Ｌｏｃａｔｅｄ）すると称することができる。
【００６２】
言い換えると、２つのアンテナポート間がＱＣＬ関係（またはＱＣＬが発生すること、ＱＣＬ関係を満たすこと、２つのアンテナポート間がＱＣＬであること）を有すると、端末機器は、１つのアンテナポートによって伝送された信号またはチャネルの大規模な属性および／または空間受信パラメータ（ｓｐａｔｉａｌ  Ｒｘ  ｐａｒａｍｅｔｅｒ）などが、別のアンテナポートによって伝送された信号またはチャネルから推測することができると仮定することができる。または、アンテナポートからの信号またはチャネルの大規模な属性および／または空間受信パラメータなどは、別のアンテナポートの信号またはチャネルの大規模な属性および／または空間受信パラメータなどと同じである。当該大規模な属性は、例えば、上記の遅延拡張、ドップラー拡張、ドップラーシフト、平均遅延、平均ゲインなどのパラメータを含み得る。
【００６３】
当該実施例では、当該省エネ信号の受信に関連するＤＭＲＳアンテナポートは、当該省エネ信号を伝送するために使用されるＤＭＲＳアンテナポートであると理解することができる。ただし、例えば当該省エネ信号自体がシーケンスであるなど、当該省エネ信号がＤＭＲＳシーケンスを搬送しない場合、依然として、当該省エネ信号に１つのＤＭＲＳアンテナポートを関連する。当該ＤＭＲＳアンテナポートは、即ち、当該省エネ信号の受信に関連するＤＭＲＳアンテナポートであり、当該省エネ信号は、当該省エネ信号に関連するＤＭＲＳアンテナポートにマッピングして伝送されることができる。
【００６４】
ネットワーク機器がビームスキャンの方式に基づいて省エネ信号およびページング関連信号を送信する場合、例示的に、当該ＱＣＬ関係は、当該ページング関連信号と、当該ページング関連信号に関連する当該省エネ信号との間のＱＣＬ関係を含む。ここで、当該ページング関連信号に関連する当該省エネ信号は、時間領域および／または周波数領域上で当該ページング関連信号とプリセットの関係を満たす省エネ信号を含む。
【００６５】
即ち、時間領域および／または周波数領域上でプリセットの関係を満たすページング関連信号と省エネ信号は、即ち、関連するページング関連信号と省エネ信号である。
【００６６】
例を挙げると、図５に示されたように、各ＰＯにおいて、ビーム１によって送信された省エネ信号と、ビーム１によって送信されたページング信号との間は、時間領域上でＴ１くらい分離され、ビーム２によって送信された省エネ信号と、ビーム２によって送信されたページング信号との間は、時間領域上でＴ２くらい分離され、……、順次に、ビームＮによって送信された省エネ信号と、ビームＮによって送信されたページング信号との間は時間領域上でＴｎくらい分離される。Ｔ１ないしＴｎは、即ち、当該プリセットの関係であり、さらに、Ｔ１ないしＴｎは同じであってもよく、または異なってもよく、または一部が同じであってもよい。
【００６７】
ビーム１によって送信された省エネ信号は、与ビーム１によって送信されたページング信号に関連する省エネ信号であり、ビーム２によって送信された省エネ信号は、ビーム２によって送信されたページング信号に関連する省エネ信号であり、……、順次に、ビームＮによって送信された省エネ信号は、ビームＮによって送信されたページング信号に関連する省エネ信号である。
【００６８】
したがって、ビーム１によって送信された省エネ信号と、ビーム１によって送信されたページング信号との間はＱＣＬであり、ビーム２によって送信された省エネ信号と、ビーム２によって送信されたページング信号との間はＱＣＬであり、……、順次に、ビームＮによって送信された省エネ信号と、ビームＮによって送信されたページング信号との間はＱＣＬである。
【００６９】
例示的に、ステップ４２０において、当該端末機器が、ページング関連信号と省エネ信号との間のＱＣＬ関係を決定することは、当該端末機器が、当該端末機器に事前に格納された当該ＱＣＬ関係取得することを含む。
【００７０】
または、例示的に、ステップ４２０において、当該端末機器は、ネットワーク機器によって送信された構成情報を受信することにより当該ＱＣＬ情報を取得し、当該構成情報は、当該ＱＣＬ関係を指示する。
【００７１】
即ち、当該ＱＣＬ関係は、ネットワーク機器が構成してもよく、プロトコルで合意されるなど、事前に約束されてもよい。
【００７２】
例示的に、当該方法４００は、ステップ４３０をさらに含む。
【００７３】
ステップ４３０において、当該端末機器が、当該ＱＣＬ関係に基づいて当該省エネ信号を受信し、または、当該端末機器が、当該ＱＣＬ関係に基づいて当該ページング関連信号を受信する。
【００７４】
例示的に、当該ＱＣＬ関係は、空間受信パラメータの側面のＱＣＬ関係を含み、ここで、ステップ４１０において、当該ネットワーク機器が、当該省エネ信号および当該ページング関連信号を受信することは、当該ネットワーク機器が、当該ページング関連信号を受信し、当該ページング関連信号の送信ビームを使用して、当該ページング関連信号に関連する当該省エネ信号を送信することを含む。
【００７５】
即ち、ネットワーク機器は、同じ送信ビームを使用して当該ページング関連信号、および当該ページング関連信号に関連する当該省エネ信号を送信する。
【００７６】
依然として、図５を例とすると、ネットワーク機器は、ビーム１を使用してページング信号を送信し、ビーム１を使用して当該ページング信号に関連する省エネ信号を送信し、ここで、当該ページング信号に関連する省エネ信号は、当該ページング信号と時間領域上でＴ１くらい分離された省エネ信号であり、ネットワーク機器は、ビーム２を使用してページング信号を送信し、ビーム２を使用して当該ページング信号に関連する省エネ信号を送信し、ここで、当該ページング信号に関連する省エネ信号は、当該ページング信号と時間領域上でＴ２くらい分離された省エネ信号であり、……、順次に、ネットワーク機器は、ビームＮを使用してページング信号を送信し、ビームＮを使用して当該ページング信号に関連する省エネ信号を送信し、ここで、当該ページング信号に関連する省エネ信号は、当該ページング信号が時間領域上でＴｎくらい分離された省エネ信号である。
【００７７】
対応的に、例示的に、当該ＱＣＬ関係は、空間受信パラメータの側面のＱＣＬ関係を含み、ステップ４３０において、当該端末機器が、当該ＱＣＬ関係に基づいて当該省エネ信号を受信することは、当該端末機器が、当該ページング関連信号の最適な受信ビーム、および当該最適な受信ビームに対応する当該空間受信パラメータを使用して、当該省エネ信号を受信することを含む。
【００７８】
依然として、図５を例とすると、端末機器は、Ｎ個のビーム的ページングメッセージを検出した後に、受信品質が最も良いページングメッセージが、ビーム２上で受信されたページングメッセージであることを見つけるなど、現在のＰＯ、即ち、ｎ番目のＰＯにおけるページングメッセージの検出結果に従って、当該ページングメッセージの最適な受信ビームを選択することができる。その結果、省エネ信号とページング関連信号との間が空間受信パラメータの側面でＱＣＬ関係を有するため、当該端末機器は、Ｎ個のビーム上で当該省エネ信号を検出する必要がなく、ビーム２および受信フィルタの構成パラメータなどの、ビーム２に対応する空間受信パラメータを使用して、次のＰＯ、即ち、ｎ＋１番目のＰＯで当該ページングメッセージに関連する省エネ信号を受信することができる。
【００７９】
したがって、本出願の実施例によれば、ページング関連信号と省エネ信号との間にＱＣＬ関係を確立することにより、端末機器が、ページングメッセージの受信ビームおよび対応する空間受信パラメータを決定した後に、ページングメッセージの受信ビームおよび空間受信パラメータに基づいて、省エネ信号の受信を実行し、それにより、ネットワーク機器によって送信された全てのビーム上で省エネ信号の受信を実行することを回避し、省エネの目的を達成することができる。
【００８０】
例示的に、当該方法は、当該端末機器が、当該省エネ信号に基づいて時間周波数同期を実行して、当該省エネ信号の時間周波数同期パラメータを取得することをさらに含む。
【００８１】
ここで、ステップ４３０において、当該端末機器が、当該ＱＣＬ関係に基づいて当該ページング関連信号を受信することは、当該端末機器が、当該省エネ信号の当該時間周波数同期パラメータを使用して、当該ページング関連信号を受信することを含む。
【００８２】
端末機器は、省エネ信号の指示に基づいて、特定のページング周期にページングメッセージの伝送が存在する場合、端末機器が当該ページング周期に当該ページングメッセージを受信する必要があることを知る。省エネ信号がシーケンスであり、且つ当該シーケンスが時間周波数同期の機能を備えている場合、当該端末機器は、当該省エネ信号に基づいて時間周波数同期を実行し、時間オフセットおよび周波数オフセットなどの情報などの当該省エネ信号の時間周波数同期パラメータを取得し、これらの時間周波数同期パラメータに基づいて、当該省エネ信号とＱＣＬ関係を満たす当該ページング関連信号を受信することができ、それにより、ページングメッセージおよびページングメッセージをスケジューリングするＰＤＣＣＨの受信性能を改善することができる。
【００８３】
例示的に、当該方法は、当該ネットワーク機器が、当該ページング関連信号と当該省エネ信号との間のタイマ関係を決定することをさらに含む。ここで、ステップ４１０において、当該ネットワーク機器は、当該タイマ関係に従って、当該省エネ信号および当該ページング関連信号を受信することができる。
【００８４】
対応的に、例示的に、当該方法は、当該端末機器が、当該ページング関連信号と当該省エネ信号との間のタイマ関係を決定することをさらに含む。
【００８５】
当該タイマ関係は、ネットワーク機器が端末機器に構成してもよく、またはプロトコルによって事前に合意されるなど、端末機器に事前に格納されてもよい。
【００８６】
ここで、ステップ４３０において、当該端末機器は、当該ＱＣＬ関係および当該タイマ関係に基づいて、当該省エネ信号を受信することができ、または、当該端末機器は、当該ＱＣＬ関係および当該タイマ関係に基づいて、当該ページング関連信号を受信する。
【００８７】
当該ページング関連信号と当該省エネ信号との間のタイマ関係は、即ち、ネットワーク機器がページング関連信号を送信する時間と当該省エネ信号を送信する時間との間の時間関係であり、端末機器がページング関連信号を受信する時間と端末機器が当該省エネ信号を受信する時間との間の時間関係でもある。例えば、当該タイマ関係が、省エネ信号が当該省エネ信号に関連するページング関連信号のＴＡ期間前に位置することを示すと、端末機器は、省エネ信号を受信した後に、当該ＱＣＬ関係に基づいて、ＴＡ期間後、当該省エネ信号と当該ＱＣＬ関係を満たす、当該ページングメッセージをスケジューリングするＰＤＣＣＨまたは当該ページングメッセージを受信することができる。または、端末機器がページングメッセージを受信するために使用されるＰＯを決定すると、当該省エネ信号を受信する時間位置を決定することができ、それにより、当該ＱＣＬ関係に基づいて、対応する時間位置上で当該ＱＣＬ関係を満たす当該省エネ信号および当該ページングメッセージを受信することができる。
【００８８】
本出願の実施例では、省エネ信号の受信とページング関連信号の受信がＱＣＬ関係を満たすため、端末機器は、ページング関連信号の受信状況および当該ＱＣＬ関係に基づいて、省エネ信号を受信し、それにより、省エネ信号の伝送性能を改善することができ、さらに、当該端末機器は、省エネ信号の受信状況および当該ＱＣＬ関係に基づいて、ページング関連信号を受信し、それにより、ページング関連信号の伝送性能を改善することができる。
【００８９】
本出願の様々な実施例において、上記の各プロセスの番号の大きさは実行する前後順番を意味せず、各プロセスの実行順番は、その機能と内部論理によって決定されるべきであり、本出願の実施例の実施プロセスに対してあらゆる制限を構成してはならないことを理解されたい。
【００９０】
以上、本出願の実施例に係る信号伝送方法について詳細に説明したが、以下、本出願の実施例に係る装置について、図６ないし図９を参照して説明し、方法の実施例に記載の技術的特徴は、以下の装置の実施例に適用可能である。
【００９１】
図６は、本出願の実施例に係る端末機器６００の例示的なブロック図である。図６に示されたように、当該端末機器６００は、処理ユニット６１０および送受信ユニット６２０を備え、ここで、
処理ユニット６１０は、ページング関連信号と省エネ信号との間の準共存（ＱＣＬ）関係を決定するように構成され、ここで、前記ページング関連信号は、ページングメッセージをスケジューリングする物理ダウンリック制御チャネル（ＰＤＣＣＨ）および／または前記ページングメッセージを搬送する物理ダウンリンク物理共有チャネル（ＰＤＳＣＨ）を含む。
【００９２】
送受信ユニット６２０は、前記処理ユニット６１０によって決定された前記ＱＣＬ関係に基づいて前記省エネ信号を受信し、または、前記ＱＣＬ関係に基づいて前記ページング関連信号を受信するように構成される。
【００９３】
したがって、省エネ信号の受信とページング関連信号の受信がＱＣＬ関係を満たすため、端末機器は、ページング関連信号の受信状況および当該ＱＣＬ関係に基づいて、省エネ信号を受信し、それにより、省エネ信号の伝送性能を改善することができ、さらに、当該端末機器は、省エネ信号の受信状況および当該ＱＣＬ関係に基づいて、ページング関連信号を受信し、それにより、ページング関連信号の伝送性能を改善することができる。
【００９４】
例示的に、前記ページング関連信号と前記省エネ信号との間の前記ＱＣＬ関係は、前記ページング関連信号を受信する復調用参照信号（ＤＭＲＳ）アンテナポートと、前記省エネ信号の受信に関連するＤＭＲＳアンテナポートとの間はＱＣＬ関係を満たすことを示す。
【００９５】
例示的に、前記ＱＣＬ関係は、遅延拡張、ドップラー拡張、ドップラーシフト、平均遅延および空間受信パラメータのうちの少なくとも一側面における、前記ページング関連信号と前記省エネ信号のＱＣＬ関係を含む。
【００９６】
例示的に、前記ＱＣＬ関係は、前記ページング関連信号と、前記ページング関連信号に関連する前記省エネ信号との間のＱＣＬ関係を含み、ここで、前記ページング関連信号に関連する前記省エネ信号は、時間領域および／または周波数領域上で前記ページング関連信号とプリセットの関係を満たす省エネ信号を含む。
【００９７】
例示的に、前記処理ユニット６１０は、具体的に、前記端末機器に事前に格納された前記ＱＣＬ関係を取得し、または、前記送受信ユニット６２０を介してネットワーク機器によって送信された構成情報を受信するように構成され、前記構成情報は前記ＱＣＬ関係を指示する。
【００９８】
例示的に、前記ＱＣＬ関係は、空間受信パラメータの側面のＱＣＬ関係を含み、ここで、前記送受信ユニット６２０は、具体的に、前記ページング関連信号の最適な受信ビーム、および前記最適な受信ビームに対応する前記空間受信パラメータを使用して、前記省エネ信号を受信するように構成される。
【００９９】
例示的に、前記処理ユニット６１０は、さらに、前記省エネ信号に基づいて時間周波数同期を実行して、前記省エネ信号の時間周波数同期パラメータを取得するように構成される。
【０１００】
ここで、前記送受信ユニット６２０は、具体的に、前記省エネ信号の前記処理ユニット６１０によって取得された前記時間周波数同期パラメータを使用して、前記ページング関連信号を受信するように構成される。
【０１０１】
例示的に、前記処理ユニット６１０は、さらに、前記ページング関連信号と前記省エネ信号との間のタイマ関係を決定するように構成される。
【０１０２】
ここで、前記送受信ユニット６２０は、具体的に、前記ＱＣＬ関係および前記タイマ関係に基づいて、前記省エネ信号を受信し、または、前記ＱＣＬ関係および前記タイマ関係に基づいて、前記ページング関連信号を受信するように構成される。
【０１０３】
当該端末機器６００は、上記の方法４００において端末機器によって実行される対応する操作を実行することができ、簡潔にするために、ここでは繰り返して説明しないことを理解されたい。
【０１０４】
図７は、本出願の実施例のネットワーク機器７００の例示的なブロック図である。図７に示されたように、当該ネットワーク機器７００は、処理ユニット７１０および送受信ユニット７２０を備える。ここで、
処理ユニット７１０は、前記省エネ信号および前記ページング関連信号を生成するように構成される。
【０１０５】
送受信ユニット７２０は、前記処理ユニット７１０によって生成された前記省エネ信号および前記ページング関連信号を送信して、端末機器が、前記ページング関連信号と前記省エネ信号との間の準共存（ＱＣＬ）関係に基づいて、前記ページング関連信号または前記省エネ信号を受信するように構成され、ここで、前記ページング関連信号は、ページングメッセージをスケジューリングする物理ダウンリック制御チャネル（ＰＤＣＣＨ）および／または前記ページングメッセージを搬送する物理ダウンリンク物理共有チャネル（ＰＤＳＣＨ）を含む。
【０１０６】
したがって、省エネ信号の受信とページング関連信号の受信がＱＣＬ関係を満たすため、端末機器は、ページング関連信号の受信状況および当該ＱＣＬ関係に基づいて、省エネ信号を受信し、それにより、省エネ信号の伝送性能を改善することができ、さらに、当該端末機器は、省エネ信号の受信状況および当該ＱＣＬ関係に基づいて、ページング関連信号を受信し、それにより、ページング関連信号の伝送性能を改善することができる。
【０１０７】
例示的に、前記ページング関連信号と前記省エネ信号との間の前記ＱＣＬ関係は、前記ページング関連信号を受信する復調用参照信号（ＤＭＲＳ）アンテナポートと、前記省エネ信号の受信に関連するＤＭＲＳアンテナポートとの間はＱＣＬ関係を満たすことを示す。
【０１０８】
例示的に、前記ＱＣＬ関係は、遅延拡張、ドップラー拡張、ドップラーシフト、平均遅延および空間受信パラメータのうちの少なくとも一側面における、前記ページング関連信号と前記省エネ信号のＱＣＬ関係を含む。
【０１０９】
例示的に、前記ＱＣＬ関係は、前記ページング関連信号と、前記ページング関連信号に関連する前記省エネ信号との間のＱＣＬ関係を含み、ここで、前記ページング関連信号に関連する前記省エネ信号は、時間領域および／または周波数領域上で前記ページング関連信号とプリセットの関係を満たす省エネ信号を含む。
【０１１０】
例示的に、前記ＱＣＬ関係は、空間受信パラメータの側面のＱＣＬ関係を含み、ここで、前記送受信ユニット７２０は、具体的に、前記ページング関連信号を送信し、前記ページング関連信号の送信ビームを使用して、前記ページング関連信号に関連する前記省エネ信号を送信するように構成される。
【０１１１】
例示的に、前記処理ユニット７１０は、さらに、前記ページング関連信号と前記省エネ信号との間のタイマ関係を決定するように構成される。
【０１１２】
ここで、前記送受信ユニット７２０は、具体的に、前記タイマ関係に従って、前記省エネ信号および前記ページング関連信号を送信するように構成される。
【０１１３】
例示的に、前記送受信ユニット７２０は、さらに、構成情報を端末機器に送信するように構成され、前記構成情報は前記ＱＣＬ関係を指示する。
【０１１４】
当該ネットワーク機器７００は、上記の方法４００においてネットワーク機器によって実行される対応する操作を実行することができ、簡潔にするために、ここでは繰り返して説明しないことを理解されたい。
【０１１５】
図８は、本出願の実施例に係る通信機器８００の例示的な構造図である。図８に示されるように、当該通信機器は、プロセッサ８１０と、トランシーバ８２０と、メモリ８３０とを備え、ここで、当該プロセッサ８１０、トランシーバ８２０およびメモリ８３０の間は、内部接続パスを介してお互いに通信する。当該メモリ８３０は、命令を記憶するように構成され、当該プロセッサ８１０は、当該トランシーバ８２０による信号の送受信を制御するために、メモリ８３０に記憶された命令を実行するように構成される。
【０１１６】
例示的に、当該プロセッサ８１０は、メモリ８３０に記憶されたプログラムコードを呼び出して、方法４００における、端末機器による対応する動作を実行してもよく、簡潔にするために、ここでは繰り返して説明しない。
【０１１７】
例示的に、当該プロセッサ８１０は、メモリ８３０に記憶されたプログラムコードを呼び出して、方法４００においてネットワーク機器によって実行される対応する動作を実行してもよく、簡潔にするために、ここでは繰り返して説明しない。
【０１１８】
本出願の実施例におけるプロセッサは、信号の処理能力を備えた集積回路チップであり得ることを理解されたい。実現プロセスにおいて、上記した方法の実施例の各ステップは、プロセッサにおけるハードウェアの集積論理回路またはソフトウェアの形の命令によって完了されることができる。上述のプロセッサは、汎用プロセッサ、デジタル信号プロセッサ（ＤＳＰ：Ｄｉｇｉｔａｌ  Ｓｉｇｎａｌ  Ｐｒｏｃｅｓｓｏｒ）、特定用途向け集積回路（ＡＳＩＣ：Ａｐｐｌｉｃａｔｉｏｎ  Ｓｐｅｃｉｆｉｃ  Ｉｎｔｅｇｒａｔｅｄ  Ｃｉｒｃｕｉｔ）、フィールドプログラマブルゲートアレイ（ＦＰＧＡ：Ｆｉｅｌｄ  Ｐｒｏｇｒａｍｍａｂｌｅ  Ｇａｔｅ  Ａｒｒａｙ）または他のプログラマブルロジックデバイス、ディスクリートゲートまたはトランジスタロジックデバイス、ディスクリートハードウェアコンポーネントなどであってもよい。本開示の実施例で開示された各方法、ステップおよび論理ブロック図を実現または実行することができる。汎用プロセッサは、マイクロプロセッサであってもよく、または当該プロセッサは任意の従来のプロセッサなどであってもよい。本出願の実施例を組み合たせて開示された方法のステップは、ハードウェア復号化プロセッサによって実行されて完了すると直接に具現されることができ、または復号化プロセッサにおけるハードウェアおよびソフトウェアモジュールの組み合わせによって実行されて完了してもよい。ソフトウェアモジュールは、ランダムメモリ、フラッシュメモリ、読み取り専用メモリ、プログラマブル読み取り専用メモリまたは電気的に消去可能なプログラマブルメモリ、レジスタなど当技術分野の熟知する記憶媒体に配置されてもよい。当該記憶媒体はメモリに配置され、プロセッサはメモリの情報を読み取り、そのハードウェアと組み合わせて前記方法のステップを完了する。
【０１１９】
本出願の実施例におけるメモリは、揮発性メモリまたは不揮発性メモリであってもよく、または揮発性および不揮発性メモリの両方を含んでもよいことを理解されたい。ここで、不揮発性メモリは、読み取り専用メモリ（ＲＯＭ：Ｒｅａｄ−Ｏｎｌｙ  Ｍｅｍｏｒｙ）、プログラム可能な読み取り専用メモリ（ＰＲＯＭ：Ｐｒｏｇｒａｍｍａｂｌｅ  ＲＯＭ）、消去可能なプログラム可能な読み取り専用メモリ（ＥＰＲＯＭ：Ｅｒａｓａｂｌｅ  ＰＲＯＭ）、電気的に消去可能なプログラム可能な読み取り専用メモリ（ＥＥＰＲＯＭ：Ｅｌｅｃｔｒｉｃａｌｌｙ  ＥＰＲＯＭ）またはフラッシュメモリであってもよい。揮発性メモリは、外部キャッシュとして使用されるランダムアクセスメモリ（ＲＡＭ：Ｒａｎｄｏｍ  Ａｃｃｅｓｓ  Ｍｅｍｏｒｙ）であってもよい。例示的であるが制限的ではない説明を通じて、例えば、スタティックランダムアクセスメモリ（ＳＲＡＭ：Ｓｔａｔｉｃ  ＲＡＭ）、ダイナミックランダムアクセスメモリ（ＤＲＡＭ：Ｄｙｎａｍｉｃ  ＲＡＭ）、同期ダイナミックランダムアクセスメモリ（ＳＤＲＡＭ：Ｓｙｎｃｈｒｏｎｏｕｓ  ＤＲＡＭ）、ダブルデータレートの同期ダイナミックランダムアクセスメモリ（ＤＤＲ  ＳＤＲＡＭ：Ｄｏｕｂｌｅ  Ｄａｔａ  Ｒａｔｅ  ＳＤＲＡＭ）、拡張型同期ダイナミックランダムアクセスメモリ（ＥＳＤＲＡＭ：Ｅｎｈａｎｃｅｄ  ＳＤＲＡＭ）、同期接続ダイナミックランダムアクセスメモリ（ＳＬＤＲＡＭ：Ｓｙｎｃｈｌｉｎｋ  ＤＲＡＭ）およびダイレクトメモリバスランダムアクセスメモリ（ＤＲ  ＲＡＭ：Ｄｉｒｅｃｔ  Ｒａｍｂｕｓ  ＲＡＭ）など、多くの形のＲＡＭを使用することができる。本出願で説明されたシステムおよび方法のメモリは、これらおよび任意の他の適切なタイプのメモリを含むが、これらに限定されないことを意図することに留意されたい。
【０１２０】
図９は、本出願の実施例のシステムチップの一例示的な構造図である。図９のシステムチップ９００は、入力インターフェース９０１、出力インターフェース９０２、少なくとも１つのプロセッサ９０３およびメモリ９０４を備え、前記入力インターフェース９０１、前記出力インターフェース９０２、前記プロセッサ９０３および前記メモリ９０４の間は、内部接続パスを介してお互いに通信する。前記プロセッサ９０３は、前記メモリ９０４におけるコードを実行するように構成される。
【０１２１】
例示的に、前記コードが実行されるとき、前記プロセッサ９０３は、方法４００において端末機器によって実行される対応する動作を実現することでき、簡潔性のために、ここでは繰り返して説明しない。
【０１２２】
例示的に、前記コードが実行されるとき、前記プロセッサ９０３は、方法４００においてネットワーク機器によって実行される対応する動作を実現することでき、簡潔性のために、ここでは繰り返して説明しない。
【０１２３】
本出願の実施例において、「Ａに相応（対応）するＢ」とは、ＢがＡに関連付けられており、Ａに従ってＢを決定できることを示すことを理解されたい。しかしながら、Ａに従ってＢを決定することは、Ａのみに従ってＢを決定することを意味せず、Ａおよび／または他の情報に従ってＢを決定することもできることをさらに理解されたい。
【０１２４】
当業者は、本明細書で開示された実施例と組み合わせて説明された各例示のユニットおよびアルゴリズムステップが、電子ハードウェア、またはコンピュータソフトウェアおよび電子ハードウェアの組み合わせによって実現されることができることを理解するであろう。これらの機能がハードウェアの形で実行されるかソフトウェアの形で実行されるかは、技術的解決策の特定のアプリケーションと設計上の制約条件に依存する。専門技術者は、各特定の応用に対して異なる方法を使用して、説明された機能を実現することができるが、このような実現は本開示の実施例の範囲を超えると見なされるべきではない。
【０１２５】
当業者は、説明の便宜上および簡潔にするために、上記に説明されたシステム、装置およびユニットの具体的な作業プロセスは、上記の方法の実施例における対応するプロセスを参照することができることを明確に理解することができ、ここでは繰り返して説明しない。
【０１２６】
本出願で提供されたいくつかの実施例において、開示されたシステム、装置および方法は、他の方法を通じて実現され得ることを理解されたい。例えば、上記で説明された装置の実施例は例示的なものに過ぎず、例えば、当該ユニットの分離は、論理機能の分離に過ぎず、実際の実現時には別の分離方法があり、例えば、複数のユニットまたはコンポーネントを別のシステムに統合または集積したり、または一部の特徴を無視したり、または実行しないことができる。なお、表示または議論された相互結合または直接結合または通信接続は、電気的、機械的または他の形態の一部のインターフェース、装置またはユニットを介した関節結合または通信接続であり得る。
【０１２７】
前記分離部材として説明されたユニットは、物理的に分離されている場合とされていない場合があり、ユニットとして表示された部材は、物理ユニットである場合もそうでない場合もあり、１箇所に配置される場合もあれば、複数のネットワークユニットに分散される場合もある。実際のニーズにしたがって、その中のユニットの一部または全部を選択して本実施例の技術案の目的を実現することができる。
【０１２８】
また、本出願の各実施例における各機能ユニットを１つのモニタリングユニットに統合してもよく、各ユニットを別々に１つのユニットとして使用してもよいし、２つ以上のユニットを１つのユニットに統合してもよい。
【０１２９】
前記機能は、ソフトウェア機能ユニットの形で実現され、スタンドアロン製品として販売または使用される場合、コンピュータ読み取り可能な記憶媒体に記憶されることができる。このような理解に基づいて、本出願の技術的解決策は、本質的にまたは先行技術に対して寄与する部分または当該技術的解決策の一部は、ソフトウェア製品の形で具現されることができ、当該コンピュータソフトウェア製品は、１つの記憶媒体に記憶され、１台のコンピュータ機器（パーソナルコンピュータ、サーバ、またはネットワーク機器等であり得る）に本出願の各実施例に記載の方法の全部または一部のステップを実行させるためのいくつかの命令を含む。前述した記憶媒体は、Ｕディスク、モバイルハードディスク、読み取り専用メモリ（ＲＯＭ：Ｒｅａｄ−Ｏｎｌｙ  Ｍｅｍｏｒｙ）、ランダムアクセスメモリ（ＲＡＭ：Ｒａｎｄｏｍ  Ａｃｃｅｓｓ  Ｍｅｍｏｒｙ）、磁気ディスクまたは光ディスクなどのプログラムコードを記憶することができる様々な媒体を含む。
【０１３０】
上記した内容は、本出願の具体的な実施形態に過ぎないが、本出願の保護範囲はこれに限定されず、当業者は、本出願に開示された技術的範囲内で容易に想到し得る変更または置換は、すべて本出願の保護範囲内に含まれるべきである。したがって、本出願の保護範囲は、特許請求の範囲の保護範囲に従うものとする。
【図１】
2021520700.tif 000003
【図２】
2021520700.tif 000004
【図３】
2021520700.tif 000005
【図４】
2021520700.tif 000006
【図５】
2021520700.tif 000007
【図６】
2021520700.tif 000008
【図７】
2021520700.tif 000009
【図８】
2021520700.tif 000010
【図９】
2021520700.tif 000011
【手続補正書】
【提出日】令和3年3月2日(2021.3.2)
【手続補正１】
【補正対象書類名】特許請求の範囲
【補正対象項目名】全文
【補正方法】変更
【補正の内容】
【特許請求の範囲】
【請求項１】
信号伝送方法であって、
端末機器が、ページング関連信号と省エネ信号との間の準共存（ＱＣＬ）関係を決定することであって、前記ページング関連信号は、ページングメッセージをスケジューリングする物理ダウンリック制御チャネル（ＰＤＣＣＨ）および／または前記ページングメッセージを搬送する物理ダウンリンク物理共有チャネル（ＰＤＳＣＨ）を含むことと、
前記端末機器が、前記ＱＣＬ関係に基づいて前記省エネ信号を受信すること、または、前記端末機器が、前記ＱＣＬ関係に基づいて前記ページング関連信号を受信することとを含むことを特徴とする、前記信号伝送方法。
【請求項２】
前記ページング関連信号と前記省エネ信号との間の前記ＱＣＬ関係は、
前記ページング関連信号を受信する復調用参照信号（ＤＭＲＳ）アンテナポートと、前記省エネ信号の受信に関連するＤＭＲＳアンテナポートとの間はＱＣＬ関係を満たすことを示すことを特徴とする、
請求項１に記載の信号伝送方法。
【請求項３】
前記ＱＣＬ関係は、
遅延拡張、ドップラー拡張、ドップラーシフト、平均遅延および空間受信パラメータのうちの少なくとも一側面における、前記ページング関連信号と前記省エネ信号のＱＣＬ関係を含むことを特徴とする、
請求項１または２に記載の信号伝送方法。
【請求項４】
前記ＱＣＬ関係は、
前記ページング関連信号と、前記ページング関連信号に関連する前記省エネ信号との間のＱＣＬ関係を含み、
前記ページング関連信号に関連する前記省エネ信号は、時間領域および／または周波数領域上で前記ページング関連信号とプリセットの関係を満たす省エネ信号を含むことを特徴とする、
請求項１ないし３のいずれか一項に記載の信号伝送方法。
【請求項５】
前記端末機器が、前記ページング関連信号と前記省エネ信号との間の前記ＱＣＬ関係を決定することは、
前記端末機器が、前記端末機器に事前に格納された前記ＱＣＬ関係を取得すること、または、
前記端末機器が、ネットワーク機器によって送信された構成情報を受信することであって、前記構成情報は前記ＱＣＬ関係を指示することを含むことを特徴とする、
請求項１ないし４のいずれか一項に記載の信号伝送方法。
【請求項６】
前記方法は、
前記端末機器が、前記ページング関連信号と前記省エネ信号との間のタイマ関係を決定することをさらに含み、
前記端末機器が、前記ＱＣＬ関係に基づいて前記省エネ信号を受信することは、前記端末機器が、前記ＱＣＬ関係および前記タイマ関係に基づいて、前記省エネ信号を受信することを含み、
前記端末機器が、前記ＱＣＬ関係に基づいて前記ページング関連信号を受信することは、前記端末機器が、前記ＱＣＬ関係および前記タイマ関係に基づいて、前記ページング関連信号を受信することを含むことを特徴とする、
請求項１ないし５のいずれか一項に記載の信号伝送方法。
【請求項７】
端末機器であって、
ページング関連信号と省エネ信号との間の準共存（ＱＣＬ）関係を決定するように構成される処理ユニットであって、前記ページング関連信号は、ページングメッセージをスケジューリングする物理ダウンリック制御チャネル（ＰＤＣＣＨ）および／または前記ページングメッセージを搬送する物理ダウンリンク物理共有チャネル（ＰＤＳＣＨ）を含む処理ユニットと、
前記処理ユニットによって決定された前記ＱＣＬ関係に基づいて前記省エネ信号を受信し、または、前記ＱＣＬ関係に基づいて前記ページング関連信号を受信するように構成される送受信ユニットとを備えることを特徴とする、前記端末機器。
【請求項８】
前記ＱＣＬ関係は、
前記ページング関連信号と、前記ページング関連信号に関連する前記省エネ信号との間のＱＣＬ関係を含み、
前記ページング関連信号に関連する前記省エネ信号は、時間領域および／または周波数領域上で前記ページング関連信号とプリセットの関係を満たす省エネ信号を含むことを特徴とする、
請求項７に記載の端末機器。
【請求項９】
前記処理ユニットは、具体的に、
前記端末機器に事前に格納された前記ＱＣＬ関係を取得し、または、
前記送受信ユニットを介してネットワーク機器によって送信された構成情報を受信するように構成され、前記構成情報は前記ＱＣＬ関係を指示することを特徴とする、
請求項７または８に記載の端末機器。
【請求項１０】
前記ＱＣＬ関係は、空間受信パラメータの側面のＱＣＬ関係を含み、前記送受信ユニットは、具体的に、
前記ページング関連信号の最適な受信ビーム、および前記最適な受信ビームに対応する前記空間受信パラメータを使用して、前記省エネ信号を受信するように構成されることを特徴とする、
請求項７ないし９のいずれか一項に記載の端末機器。
【請求項１１】
前記処理ユニットは、さらに、
前記省エネ信号に基づいて時間周波数同期を実行して、前記省エネ信号の時間周波数同期パラメータを取得するように構成され、
前記送受信ユニットは、具体的に、
前記省エネ信号の前記処理ユニットによって取得された前記時間周波数同期パラメータを使用して、前記ページング関連信号を受信するように構成されることを特徴とする、
請求項７ないし１０のいずれか一項に記載の端末機器。
【請求項１２】
前記処理ユニットは、さらに、
前記ページング関連信号と前記省エネ信号との間のタイマ関係を決定するように構成され、
前記送受信ユニットは、具体的に、前記ＱＣＬ関係および前記タイマ関係に基づいて、前記省エネ信号を受信し、または、前記ＱＣＬ関係および前記タイマ関係に基づいて、前記ページング関連信号を受信するように構成されることを特徴とする、
請求項７ないし１１のいずれか一項に記載の端末機器。
【請求項１３】
ネットワーク機器であって、
前記省エネ信号および前記ページング関連信号を生成するように構成される処理ユニットと、
前記処理ユニットによって生成された前記省エネ信号および前記ページング関連信号を送信して、端末機器が、前記ページング関連信号と前記省エネ信号との間の準共存（ＱＣＬ）関係に基づいて、前記ページング関連信号または前記省エネ信号を受信するように構成される送受信ユニットであって、前記ページング関連信号は、ページングメッセージをスケジューリングする物理ダウンリック制御チャネル（ＰＤＣＣＨ）および／または前記ページングメッセージを搬送する物理ダウンリンク物理共有チャネル（ＰＤＳＣＨ）を含む送受信ユニットとを備えることを特徴とする、前記ネットワーク機器。
【請求項１４】
前記ＱＣＬ関係は、
前記ページング関連信号と、前記ページング関連信号に関連する前記省エネ信号との間のＱＣＬ関係を含み、
前記ページング関連信号に関連する前記省エネ信号は、時間領域および／または周波数領域上で前記ページング関連信号とプリセットの関係を満たす省エネ信号を含み、
および、
前記ＱＣＬ関係は、空間受信パラメータの側面のＱＣＬ関係を含み、前記送受信ユニットは、具体的に、
前記ページング関連信号を送信し、前記ページング関連信号の送信ビームを使用して、前記ページング関連信号に関連する前記省エネ信号を送信するように構成されることを特徴とする、
請求項１３に記載のネットワーク機器。
【請求項１５】
前記処理ユニットは、さらに、
前記ページング関連信号と前記省エネ信号との間のタイマ関係を決定するように構成され、
前記送受信ユニットは、具体的に、前記タイマ関係に従って、前記省エネ信号および前記ページング関連信号を送信するように構成されることを特徴とする、
請求項１３または１４に記載のネットワーク機器。
【国際調査報告】
2021520700.tif 000012
2021520700.tif 000013
2021520700.tif 000014
2021520700.tif 000015